(57)【要約】【課題】駆動源ユニットの取付作業を容易化する。【解決手段】駆動源ユニットは、駆動源と、前記駆動源によって回転駆動されるリードスクリューと、前記リードスクリューに形成されたねじ溝に係合し、前記リードスクリューの回転に伴って前記ねじ溝との係合位置を変化させる係合部材と、前記リードスクリューの端部を回転可能に保持する保持部材と、前記保持部材に取り付けられ、前記係合部材の回転を制限する制限部材と、を備える。【選択図】図４
2017219796.tif 000002
【特許請求の範囲】
【請求項１】
駆動源と、
前記駆動源によって回転駆動されるリードスクリューと、
前記リードスクリューに形成されたねじ溝に係合し、前記リードスクリューの回転に伴って前記ねじ溝との係合位置を変化させる係合部材と、
前記リードスクリューの端部を回転可能に保持する保持部材と、
前記保持部材に取り付けられ、前記係合部材の回転を制限する制限部材と、を備える駆動源ユニット。
【請求項２】
請求項１に記載の駆動源ユニットにおいて、
前記保持部材は、前記リードスクリューの一端を回転可能に保持する一端部と、前記リードスクリューの他端が貫通する貫通孔が設けられた他端部とを有し、
前記制限部材は、前記リードスクリューと略平行に延在し、一端を前記一端部に固定され、他端を前記他端部に固定されている駆動源ユニット。
【請求項３】
請求項１または２に記載の駆動源ユニットにおいて、
前記係合部材は、前記リードスクリューの前記ねじ溝に係合するナット部と、前記制限部材に係合するＵ溝部とを有する駆動源ユニット。
【請求項４】
請求項１から３のいずれか一項に記載の駆動源ユニットと、
前記係合部材に追従して移動するレンズ保持部材と、を備えるレンズ鏡筒。
【発明の詳細な説明】
【技術分野】
【０００１】
本発明は、駆動源ユニットおよびレンズ鏡筒に関する。
【背景技術】
【０００２】
合焦動作時に駆動されるモータにリードスクリューを取り付け、このリードスクリューに噛み合う雌ねじが刻設された連繋コマを、フォーカスレンズを保持するコマホルダに収容して、モータの駆動によってフォーカスレンズを光軸方向に移動するカメラのレンズ駆動機構構造が知られている（特許文献１参照）。このレンズ駆動機構構造は、コマホルダの回転を制限する制限部材を設けて、コマホルダを回転制限することによって連繋コマの回転を制限している。
従来のレンズ駆動機構構造は、リードスクリューに噛み合う雌ねじが刻設された連繋コマの回転制限のために、連繋コマをコマホルダに収容しなければならない。
【先行技術文献】
【特許文献】
【０００３】
【特許文献１】特開２０００−２７５４９９号公報
【発明の概要】
【０００４】
駆動源ユニットは、駆動源と、前記駆動源によって回転駆動されるリードスクリューと、前記リードスクリューに形成されたねじ溝に係合し、前記リードスクリューの回転に伴って前記ねじ溝との係合位置を変化させる係合部材と、前記リードスクリューの端部を回転可能に保持する保持部材と、前記保持部材に取り付けられ、前記係合部材の回転を制限する制限部材と、を備える。
レンズ鏡筒は、上記の駆動源ユニットと、前記係合部材に追従して移動するレンズ保持部材と、を備える。
【図面の簡単な説明】
【０００５】
【図１】本実施の形態のレンズ鏡筒を交換レンズとして備えるレンズ交換式のカメラシステムを示した斜視図である。
【図２】交換レンズ鏡筒２００の縦断面図である。
【図３】第３群レンズ室とＡＦ群レンズ用駆動源ユニットとを示した斜視図である。
【図４】ＡＦ群レンズ室とＡＦ群レンズ用駆動源ユニットとを示した斜視図である。
【図５】ＡＦ群レンズ室を示す交換レンズ鏡筒２００の横断面図である。
【図６】第１および第２のガイドロッドを示す断面図である。
【発明を実施するための形態】
【０００６】
図１〜図６を参照して、駆動源ユニットおよびレンズ鏡筒の一実施の形態について説明する。
図１は、本実施の形態のレンズ鏡筒を交換レンズとして備えるレンズ交換式のカメラシステムを示した斜視図である。カメラシステム１は、カメラボディ１００と、カメラボディ１００に着脱可能な交換レンズ鏡筒２００とを有する。
【０００７】
カメラボディ１００には、交換レンズ鏡筒２００が着脱可能に取り付けられるボディ側レンズマウント１０１が設けられている。また交換レンズ鏡筒２００には、ボディ側のレンズマウント１０１に対応し、カメラボディ１００が着脱可能に取り付けられるレンズ側レンズマウント２０１が設けられている。交換レンズ鏡筒２００がカメラボディ１００に装着されると、ボディ側レンズマウント１０１上に設けられた複数の接点から成る接点群１０２が、レンズ側レンズマウント２０１上に設けられた複数の接点から成る接点群２０２に接続される。接点群１０２，２０２は、カメラボディ１００から交換レンズ鏡筒２００への電力供給、および、カメラボディ１００と交換レンズ鏡筒２００との信号の送受信に利用される。
【０００８】
カメラボディ１００内のボディ側レンズマウント１０１後方には、被写体像を撮像し撮像信号を出力する撮像素子１０４が設けられる。カメラボディ１００の上方には、入力装置たるボタン１０７が設けられている。ユーザはボタン１０７を用いてカメラボディ１００に撮影指示や撮影条件の設定指示等を行う。また、カメラボディ１００は、撮像素子１０４からの信号に基づき、焦点検出を行う不図示の焦点検出部を備える。
【０００９】
本実施形態の交換レンズ鏡筒２００は、交換レンズ鏡筒２００の外周部を覆う固定筒２０６および後カバー２０７と、固定筒２０６と後カバー２０７との間に配置されたズーム環２０５とを有する。交換レンズ鏡筒２００は、ユーザによるズーム環２０５の手動操作により焦点距離が可変に構成された、いわゆる手動ズームレンズである。ユーザがズーム環２０５を回転させると、交換レンズ鏡筒２００の焦点距離は広角側または望遠側に連続的に変化する。つまり交換レンズ鏡筒２００の焦点距離は、ズーム環２０５の操作によって、広角端位置と望遠端位置との間で任意に設定可能である。
【００１０】
また、交換レンズ鏡筒２００は、撮影光学系の全部または一部を保持するレンズ内筒２０３が固定筒２０６から伸縮する。なお、図１では、伸長状態のレンズ内筒２０３を破線で示している。
【００１１】
図２は、交換レンズ鏡筒２００の縦断面図である。図３は、第３群レンズ室とＡＦ群レンズ用駆動源ユニットとを示した斜視図である。図４は、ＡＦ群レンズ室とＡＦ群レンズ用駆動源ユニットとを示した斜視図である。図５は、ＡＦ群レンズ室を示す交換レンズ鏡筒２００の横断面図である。図６は、第１および第２のガイドロッドを示す断面図である。
図２において、交換レンズ鏡筒２００は、固定筒２０６と、ズーム環２０５と、後カバー２０７と、カム筒２０８と、第１群レンズ室２１０と、第２群レンズ室２２０と、絞り２０９と、第３群レンズ室２３０と、ＡＦ群レンズ室２４０と、第４群レンズ室２５０とを有する。なお、図２では、左側、即ち第１群レンズ室２１０側を被写体側とし、右側、即ち第４群レンズ室２５０側を撮像素子側とする。
【００１２】
上述のように固定筒２０６と後カバー２０７との間に配置されたズーム環２０５は、図示を省略した部材によってカム筒２０８に連結されている。カム筒２０８は、ズーム環２０５の回転操作によって回転しながら直進移動する。カム筒２０８には、第１群レンズ室２１０、第２群レンズ室２２０、第３群レンズ室２３０、および第４群レンズ室２５０をそれぞれ光軸ＯＡ方向に移動させるための不図示の複数本のカム溝がそれぞれ設けられている。
【００１３】
第１群レンズ室２１０、第２群レンズ室２２０、第３群レンズ室２３０、および第４群レンズ室２５０は、それぞれ、第１群レンズ２１１、第２群レンズ２２１、第３群レンズ２３１、および第４群レンズ２５１を保持する。これらの第１群レンズ２１１、第２群レンズ２２１、第３群レンズ２３１、および第４群レンズ２５１は、ズームレンズを構成し、ズーミング動作時に光軸ＯＡ方向に相対的に移動される。また、ＡＦ群レンズ室２４０は、ＡＦ群レンズ２４１、即ちフォーカスレンズを保持する。ＡＦ群レンズ２４１は、焦点調節動作時およびズーミング動作時に光軸ＯＡ方向に移動される。
なお、第１群レンズ２１１、第２群レンズ２２１、第３群レンズ２３１、ＡＦ群レンズ２４１および第４群レンズ２５１の各々は、図２では、１枚のレンズで代表して示されているが、複数枚のレンズで構成してもよい。
【００１４】
第１群レンズ室２１０は円筒形状を呈する筒部２１０ａを有し、この筒部２１０ａには、カム筒２０８の不図示のカム溝と嵌合する不図示のカムフォロアが設けられている。このカム筒２０８のカム溝と筒部２１０ａのカムフォロアとの嵌合によって、第１群レンズ室２１０はカム筒２０８の回転に伴い直進移動される。すなわち第１群レンズ室２１０は、ユーザがズーム環２０５を回転させると、光軸ＯＡ方向に移動する。
【００１５】
第２群レンズ室２２０は円筒形状を呈する筒部２２０ａを有し、この筒部２２０ａには、カム筒２０８の不図示のカム溝と嵌合する不図示のカムフォロアが設けられている。このカム筒２０８のカム溝と筒部２２０ａのカムフォロアとの嵌合によって、第２群レンズ室２２０はカム筒２０８の回転に伴い直進移動される。すなわち第２群レンズ室２２０は、ユーザがズーム環２０５を回転させると、光軸ＯＡ方向に移動する。
【００１６】
第３群レンズ室２３０は円筒形状を呈する筒部２３０ａを有し、筒部２３０ａには、カム筒２０８の不図示のカム溝と嵌合する不図示のカムフォロアが設けられている。このカム筒２０８のカム溝と筒部２３０ａのカムフォロアとの嵌合によって、第３群レンズ室２３０はカム筒２０８の回転に伴い直進移動される。すなわち第３群レンズ室２３０は、ユーザがズーム環２０５を回転させると、光軸ＯＡ方向に移動する。
【００１７】
第４群レンズ室２５０は円筒形状を呈する筒部２５０ａを有し、筒部２５０ａには、カム筒２０８の不図示のカム溝と嵌合する不図示のカムフォロアが設けられている。このカム筒２０８のカム溝と筒部２５０ａのカムフォロアとの嵌合によって、第４群レンズ室２５０はカム筒２０８の回転に伴い直進移動される。すなわち第４群レンズ室２５０は、ユーザがズーム環２０５を回転させると、光軸ＯＡ方向に移動する。
【００１８】
図２、図３および図４において、第３群レンズ室２３０にはＡＦ群レンズ用駆動源ユニット２６０が取り付けられる。ＡＦ群レンズ用駆動源ユニット２６０は、例えば、ステッピングモータなどの駆動源２６１と、リードスクリュー２６６と、取付板２６２と、回転制限バー２７０とを有する（図４参照）。
取付板２６２は、両端が屈曲したコの字状を呈する板状の部材であり、一端側の板部２６２ａと、他端側の支持板部２６２ｂと、板部２６２ａと支持板部２６２ｂとの間でリードスクリュー２６６と平行に延在する取付板部２６２ｃとを有する。取付板２６２は、一端側の板部２６２ａがＡＦ群レンズ用駆動源２６１に固定されている。取付板部２６２ｃには、図３に示すように複数の穴２６２ｄが穿孔され、図示を省略したビスなどによって、取付板２６２を第３群レンズ室２３０にビス止めすることによって、ＡＦ群レンズ用駆動源ユニット２６０が第３群レンズ室２３０に固定される。
【００１９】
リードスクリュー２６６は、ＡＦ群レンズ用駆動源２６１の出力軸に直結され、光軸０Ａに平行に伸びている。リードスクリュー２６６の基端側は板部２６２ａに設けられた穴部２６３を貫通し、リードスクリュー２６６の先端部は取付板２６２の支持板部２６２ｂによって回転可能に支持されている（図４参照）。リードスクリュー２６６は、先端部が取付板２６２の支持板部２６２ｂによって回転可能に支持されることで、先端部の振れが抑制される。
リードスクリュー２６６には、ナット２６８が螺合されている。
【００２０】
図４および図５に示したように、ナット２６８は、リードスクリュー２６６のねじ溝に係合するナット部２６８ａと、二股部、即ちフォーク部２６８ｂ、２６８ｂを有する。この二股部２６８ｂ、２６８ｂは、回転制限バー２７０を挟み込んでいる。すなわち、二股部２６８ｂ、２６８ｂによってＵ字状の溝であるＵ溝部２６８ｃが形成され、このＵ溝部２６８ｃが回転制限バー２７０と係合している。回転制限バー２７０は、リードスクリュー２６６と平行となるように、即ち、光軸ＯＡ方向に延在するように、一端部が取付板２６２の板部２６２ａに支持され、他端部が取付板２６２の支持板部２６２ｂに支持されている。従って、ナット２６８は、回転制限バー２７０によって回転が制限され、駆動源２６１によってリードスクリュー２６６が回転されると、ナット２６８は、光軸ＯＡ方向に直進移動される。
【００２１】
図２、図５および図６に示したように、第３群レンズ室２３０には、ＡＦ群レンズ室２４０を光軸ＯＡ方向に案内する第１、第２、および第３のガイドロッド２７２、２７４，２７６がそれぞれ固設されている。第１、第２、および第３のガイドロッド２７２、２７４，２７６の各々は、リードスクリュー２６６と平行に、即ち光軸ＯＡ方向に伸びている。第１のガイドロッド２７２には、図２および図６に示したように、コイルバネ２７８が取り付けられている。第１のガイドロッド２７２は、図５に示したように、リードスクリュー２６６の近傍に位置しているが、図２においては、第１のガイドロッド２７２に取り付けられたコイルバネ２７８を図示するために、リードスクリュー２６６から大きく離して示している。
【００２２】
図５に示したように、第２のガイドロッド２７４は、第１のガイドロッド２７２を挟んで、リードスクリュー２６６の反対側に配置されている。第３のガイドロッド２７６は、光軸ＯＡを挟んで、第１及び第２のガイドロッド２７２、２７４とほぼ対称な位置に配置されている。
【００２３】
図２から図５において、ＡＦ群レンズ室２４０は、筒部２４０ａと、筒部２４０ａの外周から突出した第１および第２の案内板２４３、２４４とを有する。図５に特に明示したように、第１の案内板２４３は筒部２４０ａから突出した突出部２４３ａと、この突出部２４３ａから筒部２４０ａの円周方向に沿って延長した延長部２４３ｂとを有する。なお、第１の案内板２４３の延長部２４３ｂは、図４に示したように、段差が設けられている。
図２から図４に示すように、第１の案内板２４３の延長部２４３ｂの先端側には、ナット２６８と当接する当接部２４５が設けられている。なお、当接部２４５は、二股形状を呈し、リードスクリュー２６６を挟み込んでいる。図２および図４に示すように、第１の案内板２４３の当接部２４５とナット２６８との位置関係は、当接部２４５が駆動源２６１とナット２６８との間に位置するように定められている。
【００２４】
図３、図５および図６に示したように、第１の案内板２４３の延長部２４３ｂには更に、第１のガイドロッド２７２が貫通する第１のガイドロッド用の貫通孔２４６と、第２のガイドロッド２７４が貫通する第２のガイドロッド用の貫通孔２４７とがそれぞれ穿孔されている。第１のガイドロッド２７２に取り付けられたコイルバネ２７８は、第３群レンズ室２３０とＡＦ群レンズ室２４０の第１の案内板２４３との間に位置する（図６参照）。従って、コイルバネ２７８は、ＡＦ群レンズ室２４０を、第３群レンズ室２３０から離間する方向に、即ちＡＦ群レンズ室２４０の第１の案内板２４３の当接部２４５がナット２６８に常時当接する方向に、付勢する。
また、図３、図４および図５に示したように、第２の案内板２４４の先端部には、第３のガイドロッド２７６が貫通するスリット、即ち切欠部２４４ａが形成されている。
【００２５】
以上のように、ＡＦ群レンズ室２４０は、第３群レンズ室２３０に固定された第２〜第３のガイドロッド２７４、２７６によって光軸ＯＡ方向に移動可能に支持されると共に、コイルバネ２７８によって、第１の案内板２４３の当接部２４５がナット２６８に常に当接するように付勢される。従って、ＡＦ群レンズ室２４０は、ズーム環２０５の回転操作によって第３群レンズ室２３０が光軸ＯＡ方向に移動されると、第３群レンズ室２３０と一体に同方向に移動される。また、ＡＦ群レンズ室２４０は、駆動源２６１がリードスクリュー２６６を回転してナット２６８を直進移動させると、ナット２６８の直進移動に追随して第３群レンズ室２３０に対して光軸ＯＡ方向に移動する。
【００２６】
図６において、ＡＦ群レンズ室２４０の第１の案内板２４３の、コイルバネ２７８が当接する面ＴＰには、テーパが形成されている。このテーパ面ＴＰによって、コイルバネ２７８はＡＦ群レンズ室２４０を光軸ＯＡ回りに、一方向に付勢するので、ＡＦ群レンズ室２４０に保持されるＡＦ群レンズ２４１の姿勢を常に安定させることができ、高い光学性能を得ることができる。
【００２７】
また、リードスクリュー２６６に螺合するナット２６８の回転を制限する回転制限バー２７０は、上述のように、あらかじめ取付板２６２に取り付けられている。従って、ＡＦ群レンズ用駆動源ユニット２６０を第３群レンズ室２３０に取り付ける作業は、回転制限バー２７０がＡＦ群レンズ用駆動源ユニット２６０以外の部材に取り付けられた場合に比べて、簡単かつ高精度に行うことができる。すなわち、ナット２６８の二股部２６８ｂ、２６８ｂがあらかじめ回転制限バー２７０を挟み込んでいるので、ＡＦ群レンズ用駆動源ユニット２６０を第３群レンズ室２３０に取り付ける際に、ＡＦ群レンズ用駆動源ユニット２６０以外の部材に取り付けられたナット２６８の回転制限部材とナット２６８とを嵌合をさせる必要がない。これにより、ＡＦ群レンズ用駆動源ユニット２６０を第３群レンズ室２３０に取り付ける際に、ＡＦ群レンズ用駆動源ユニット２６０を図３の矢印Ａで示すように、光軸ＯＡを中心とする半径方向外側から装着できる。
【００２８】
次に、本実施の形態の交換レンズ鏡筒の動作を説明する。先ず、ズーミング動作を説明する。図２において、ズーム環２０５が回転操作されると、ズーム環２０５に連結されたカム筒２０８が回転されながら光軸ＯＡ方向に移動される。カム筒２０８のカム溝と第１群レンズ室２１０〜第４群レンズ室２５０のカムフォロアとの嵌合によって、第１群レンズ室２１０と第２群レンズ室２２０と第３群レンズ室２３０と第４群レンズ室２５０とがそれぞれ光軸ＯＡ方向に相対的に移動される。また、第３群レンズ室２３０の移動に伴い、ＡＦ群レンズ室２４０も第３群レンズ室２３０と一体に移動される。こうして、変倍動作が行われる。
変倍動作中に焦点位置を保つために、駆動源２６１が駆動され、リードスクリュー２６６が回転されてナット２６８が直進移動される。コイルバネ２７８によって付勢されたＡＦ群レンズ室２４０は、ナット２６８の直進移動に追随して光軸ＯＡ方向に移動し焦点位置の変動を防止する。
【００２９】
次に、焦点調節動作を説明する。カメラボディ１００の焦点検出部からの焦点検出信号に応じて、駆動源２６１が起動されリードスクリュー２６６を回転駆動すると、リードスクリュー２６６の回転に伴いナット２６８が直進移動される。ＡＦ群レンズ室２４０は、ナット２６８の直進移動に追随して合焦位置まで移動する。
【００３０】
なお、本実施の形態にあっては、第１群レンズ室２１０が図１のレンズ内筒２０３に相当する。また、本実施の形態では、ズーミング動作時には、第１群レンズ２１１、第２群レンズ２２１、第３群レンズ２３１、および第４群レンズ２５１がそれぞれ移動するが、その代わりに、第４群レンズ２５１を固定して、ズーミング動作時に第１群レンズ２１１と第２群レンズ２２１と第３群レンズ２３１とをそれぞれ移動するように構成することもでき、更には、第１群レンズ２１１と第４群レンズ２５１とを固定して、ズーミング動作時に第２群レンズ２２１と第３群レンズ２３１とをそれぞれ移動するように構成することもできる。
【００３１】
上述した実施の形態によれば、次の作用効果が得られる。
（１）ＡＦ群レンズ用駆動源ユニット２６０は、駆動源２６１と、駆動源２６１によって回転駆動されるリードスクリュー２６６と、リードスクリュー２６６に形成されたねじ溝に係合し、リードスクリュー２６６の回転に伴って前記ねじ溝との係合位置を変化させるナット２６８と、リードスクリュー２６６の端部を回転可能に保持する取付板２６２と、取付板２６２に取り付けられ、ナット２６８の回転を制限する回転制限バー２７０と、を備える。これにより、ＡＦ群レンズ用駆動源ユニット２６０を第３群レンズ室２３０に取り付ける際に、ＡＦ群レンズ用駆動源ユニット２６０以外の部材に取り付けられたナット２６８の回転制限部材とナット２６８とを嵌合をさせる必要がない。したがって、ＡＦ群レンズ用駆動源ユニット２６０を第３群レンズ室２３０に取り付ける際に、ＡＦ群レンズ用駆動源ユニット２６０を図３の矢印Ａで示すように、光軸ＯＡを中心とする半径方向外側から装着できるので、ＡＦ群レンズ用駆動源ユニット２６０の取付作業が容易となる。
【００３２】
（２）取付板２６２は、リードスクリュー２６６の一端を回転可能に保持する板部２６２ａと、リードスクリュー２６６の他端が貫通する穴部２６３が設けられた板部２６２ａとを有し、回転制限バー２７０は、リードスクリュー２６６と略平行に延在し、一端を板部２６２ａに固定され、他端を板部２６２ａに固定されている。これにより、リードスクリュー２６６の振れ止めとしての機能を有する取付板２６２を利用して回転制限バー２７０を固定できるので、ＡＦ群レンズ用駆動源ユニット２６０の部品点数の増加を抑制でき、コストダウンを図れる。
【００３３】
（３）ナット２６８は、リードスクリュー２６６のねじ溝に係合するナット部２６８ａと、回転制限バー２７０に係合するＵ溝部２６８ｃとを有する。これにより、単純な構成でナット２６８と回転制限バー２７０とを簡単に係合させることができるので、ＡＦ群レンズ用駆動源ユニット２６０の組み立てが容易となり、ＡＦ群レンズ用駆動源ユニット２６０のコストダウンを図れる。
【００３４】
次のような変形も本発明の範囲内であり、変形例の一つ、もしくは複数を上述の実施形態と組み合わせることも可能である。
（変形例１）上述の説明では、ナット２６８のＵ溝部２６８ｃと回転制限バー２７０とが嵌合するように構成されているが、ナット２６８と回転制限バー２７０との凹凸関係が上述の説明と逆であってもよい。たとえば、回転制限バー２７０に光軸ＯＡ方向に延在する溝を設け、この溝に嵌合して光軸ＯＡ方向に移動可能な突部をナット２６８に設けてもよい。
【００３５】
（変形例２）上述の説明では、回転制限バー２７０がリードスクリュー２６６を挟んで光軸ＯＡと反対側に配置されている。しかし、回転制限バー２７０の延在方向とリードスクリュー２６６の延在方向とが平行であれば、回転制限バー２７０はリードスクリュー２６６に対して任意の位置に配置できる。
【００３６】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００３７】
１；カメラシステム、１００；カメラボディ、２００；交換レンズ鏡筒、２３０；第３群レンズ室、２６０；ＡＦ群レンズ用駆動源ユニット、２６１；駆動源、２６２；取付板、２６２ａ；板部、２６２ｂ；支持板部、２６６；リードスクリュー、２６８；ナット、２６８ａ；ナット部、２６８ｃ；Ｕ溝部、２７０；回転制限バー
【図１】
2017219796.tif 000003
【図２】
2017219796.tif 000004
【図３】
2017219796.tif 000005
【図４】
2017219796.tif 000006
【図５】
2017219796.tif 000007
【図６】
2017219796.tif 000008